(57)【要約】【課題】  オフィスにおいて使用されるＵＳＢを保管するためのＵＳＢメモリ保管庫を提供すること。【解決手段】  オフィスにおいて使用されるＵＳＢを保管するためのＵＳＢメモリ保管庫において、ＩＣチップ１４を備える電子キー２０とＵＳＢメモリ２１が一体に形成されたキー付きＵＳＢメモリ１１が装着される鍵孔７と、ＩＣチップ１４からデータを読取る読取手段と、を有する。【選択図】 図１
2009110227.tif 000002
【特許請求の範囲】
【請求項１】
オフィスにおいて使用される使用物を保管するための使用物保管庫において、
ＩＣチップを備える電子キーと前記使用物が一体に形成された複合キーが装着される鍵孔と、
前記ＩＣチップからデータを読取る読取手段と、
を有することを特徴とする使用物保管庫。
【請求項２】
オフィスにおいて使用されるＵＳＢメモリを保管するためのＵＳＢメモリ保管庫において、
ＩＣチップを備える電子キーと前記ＵＳＢメモリが一体に形成された複合キーが装着される鍵孔と、
前記ＩＣチップからデータを読取る読取手段と、
を有することを特徴とするＵＳＢメモリ保管庫。
【請求項３】
請求項２に記載するＵＳＢメモリ保管庫において、
前記鍵孔に前記電子キーが装着されるときに、
前記ＵＳＢメモリが装着され、前記ＵＳＢメモリの使用履歴を読取るＵＳＢメモリ履歴読取手段を有すること、
を特徴とするＵＳＢメモリ保管庫。
【請求項４】
請求項２に記載するＵＳＢメモリ保管庫において、
前記ＵＳＢメモリと前記ＩＣチップとが電気的に接続されており、前記接触式ＩＣチップが前記ＵＳＢメモリの使用履歴を記憶していることを特徴とするＵＳＢメモリ保管庫。
【請求項５】
請求項３に記載するＵＳＢメモリ保管庫において、
前記複合キーが、電子キーに対して、前記ＵＳＢメモリをスライド可能に保持するＵＳＢメモリスライド手段を有することを特徴とするＵＳＢメモリ保管庫。
【請求項６】
請求項３に記載するＵＳＢメモリ保管庫において、
前記複合キーが、前記電子キーに対して、前記ＵＳＢメモリを回転可能に保持するＵＳＢメモリ回転手段を有することを特徴とするＵＳＢメモリ保管庫。
【請求項７】
ＵＳＢメモリと、
ＵＳＢメモリ保管庫の鍵孔に装着ロックされて管理されるキーと、を有し、
前記ＵＳＢメモリと前記キーとが一体に形成されていること、
を特徴とするキー付きＵＳＢメモリ。
【請求項８】
請求項７に記載するキー付きＵＳＢメモリにおいて、
前記キーとＵＳＢメモリコネクタが同一方向を向いていることを特徴とするキー付きＵＳＢメモリ。
【請求項９】
請求項８に記載するキー付きＵＳＢメモリにおいて、
前記キーに対して、前記ＵＳＢメモリをスライド可能に保持する前記ＵＳＢメモリスライド手段を有することを特徴とするキー付きＵＳＢメモリ。
【請求項１０】
請求項８に記載するキー付きＵＳＢメモリにおいて、
前記キーに対して、前記ＵＳＢメモリを回転可能に保持する前記ＵＳＢメモリ回転手段を有することを特徴とするキー付きＵＳＢメモリ。
【請求項１１】
請求項８乃至請求項１０に記載するキー付きＵＳＢメモリのいずれか一つにおいて、
前記キーが電子キーであることを特徴とするキー付きＵＳＢメモリ。
【請求項１２】
請求項１１に記載するキー付きＵＳＢメモリにおいて、
前記ＵＳＢメモリと前記ＩＣチップとが電気的に接続されており、前記ＩＣチップが前記ＵＳＢメモリの使用履歴を記憶していることを特徴とするキー付きＵＳＢメモリ。
【請求項１３】
請求項１に記載する使用物保管庫おいて、
前記使用物が鍵であることを特徴とする使用物保管庫。
【請求項１４】
請求項７に記載するキー付きＵＳＢメモリにおいて、
外部ＵＳＢ接続端子と、空洞を備える本体と、
前記空洞内に装着されるＵＳＢメモリと、を有し、
前記本体の外部に設けられた第１ＵＳＢ接続端子と、前記ＵＳＢメモリの接続端子とを接続する第１配線と、
前記ＩＣチップと前記第１ＵＳＢ接続端子の電源端子とを接続する第２配線と、
を有することを特徴とするキー付きＵＳＢメモリ。
【請求項１５】
請求項１４に記載するキー付きＵＳＢメモリを保管するためのＵＳＢメモリ保管庫において、
前記第２配線と接続する保管庫側接続端子と、
前記本体をロックするロック手段とを有すること、
を特徴とするＵＳＢメモリ保管庫。
【発明の詳細な説明】
【技術分野】
【０００１】
本発明は、オフィスにおいて使用される使用物を保管するための使用物保管庫、ＵＳＢメモリを保管するＵＳＢメモリ保管庫、及びキー付きＵＳＢメモリに関するものである。
【背景技術】
【０００２】
ＵＳＢメモリ保管庫とは、複数人が使用する複数個のＵＳＢメモリを集中的に管理することのできる保管庫をいう。
従来、ＵＳＢメモリを保管するＵＳＢメモリの保管庫は存在しないが、オフィスにおいて広く必要とされ始めている。特に、企業内の重要な情報が含まれるＵＳＢメモリをオフィス内で管理するのは当然である。さらに、ＵＳＢメモリを保管するＵＳＢメモリは、通常、管理者が個人的に管理する場合が多い。
特許文献１は、ＵＳＢメモリ保管庫に関する発明ではなく、コピー機に関する発明であるが、特許文献１の技術的思想を使えばＵＳＢメモリを集中的に管理できる保管庫を想到することができる。
例えば、特許文献１のＵＳＢメモリの保管庫は、蓋体４０が、収納凹部３０を塞ぐように取付けられている。蓋体４０には、収納ポケット部４２が形成されている。
ＵＳＢメモリを保管するときには、収納ポケット部４２にＵＳＢを収納して、蓋体４０が、収納凹部３０を塞ぐ。それにより、ＵＳＢメモリを保管することができる。
【０００３】
【特許文献１】特開２００７−１６８１６７号公報
【発明の開示】
【発明が解決しようとする課題】
【０００４】
特許文献１には錠は付いていないが、厳重にＵＳＢメモリを保管するときには錠を付けて錠をかけておくことができる。さらに、錠にＩＣカードや指紋認証手段等を設けることにより、より厳重にＵＳＢメモリを保管することができる。
しかしながら、ＵＳＢメモリ保管庫に錠を付けたのみでは、蓋が何時開いたか、何時閉じられたかについては、把握することができるが、実際にＵＳＢメモリが返却されたかどうか、また、偽のＵＳＢメモリが返却されたかどうか、は不明であるという問題がある。
また、ＵＳＢが持ち出された場合に、どのパソコンで使われたか、何時から何時までパソコンで使われたか、また、どのファイルを使ったか、は分からないため、重要な情報の管理を厳重に行うことができないという問題がある。
また、ＵＳＢメモリに対して一つ一つ蓋をつけると、それだけでスペースをとることになるという問題がある。
【０００５】
そこで、本発明は、上記問題を解決するためになされたものであり、その目的は、複数個のＵＳＢメモリを集中的に管理することのできるＵＳＢメモリ保管庫、及びキーとＵＳＢメモリとが一体に形成されたことを特徴とするキー付きＵＳＢメモリを提供することにある。
【課題を解決するための手段】
【０００６】
上記目的を達成するために、本発明に係る使用物保管庫、ＵＳＢメモリ保管庫、及びキー付きＵＳＢメモリは以下の構成を有する。
（１）オフィスにおいて使用される使用物を保管するための使用物保管庫において、ＩＣチップを備える電子キーと使用物が一体に形成された複合キーが装着される鍵孔と、ＩＣチップからデータを読取る読取手段と、を有することを特徴とする。
（２）オフィスにおいて使用されるＵＳＢメモリを保管するためのＵＳＢメモリ保管庫において、ＩＣチップを備える電子キーとＵＳＢメモリが一体に形成された複合キーが装着される鍵孔と、ＩＣチップからデータを読取る読取手段と、を有することを特徴とする。
（３）（２）に記載するＵＳＢメモリ保管庫において、鍵孔に電子キーが装着されるときに、ＵＳＢメモリが装着され、ＵＳＢメモリの使用履歴を読取るＵＳＢメモリ履歴読取手段を有すること、を特徴とする。
（４）（２）に記載するＵＳＢメモリ保管庫において、ＵＳＢメモリとＩＣチップとが電気的に接続されており、接触式ＩＣチップがＵＳＢメモリの使用履歴を記憶していることを特徴とする。
（５）（３）に記載するＵＳＢメモリ保管庫において、複合キーが、電子キーに対して、ＵＳＢメモリをスライド可能に保持するＵＳＢメモリスライド手段を有することを特徴とする。
（６）（３）に記載するＵＳＢメモリ保管庫において、複合キーが、電子キーに対して、ＵＳＢメモリを回転可能に保持するＵＳＢメモリ回転手段を有することを特徴とする。
（７）ＵＳＢメモリと、ＵＳＢメモリ保管庫の鍵孔に装着ロックされて管理されるキーと、を有し、ＵＳＢメモリとキーとが一体に形成されていること、を特徴とする。
（８）（７）に記載するキー付きＵＳＢメモリにおいて、キーとＵＳＢメモリコネクタが同一方向を向いていることを特徴とする。
（９）（８）に記載するキー付きＵＳＢメモリＵにおいて、キーに対して、ＵＳＢメモリをスライド可能に保持するＵＳＢメモリスライド手段を有することを特徴とする。
（１０）（８）に記載するキー付きＵＳＢメモリにおいて、キーに対して、ＵＳＢメモリを回転可能に保持するＵＳＢメモリ回転手段を有することを特徴とする。
（１１）（８）乃至（１０）に記載するキー付きＵＳＢメモリのいずれか一つにおいて、キーが電子キーであることを特徴とする。
（１２）（１１）に記載するキー付きＵＳＢメモリにおいて、ＵＳＢメモリとＩＣチップとが電気的に接続されており、ＩＣチップがＵＳＢメモリの使用履歴を記憶していることを特徴とする。
（１３）（１）に記載する使用物保管庫おいて、使用物が鍵であることを特徴とする。
（１４）（７）に記載するキー付きＵＳＢメモリにおいて、外部ＵＳＢ接続端子と、空洞を備える本体と、空洞内に装着されるＵＳＢメモリと、を有し、本体の外部に設けられた第１ＵＳＢ接続端子と、ＵＳＢメモリの接続端子とを接続する第１配線と、ＩＣチップと第１ＵＳＢ接続端子の電源端子とを接続する第２配線と、を有することを特徴とする。
（１５）（１４）に記載するキー付きＵＳＢメモリを保管するためのＵＳＢメモリ保管庫において、第２配線と接続する保管庫側接続端子と、本体をロックするロック手段とを有すること、を特徴とする。
【発明の効果】
【０００７】
上記構成を有するＵＳＢメモリ保管庫の作用を説明する。
ＵＳＢメモリ保管庫を、壁に設置する。
本発明のＵＳＢメモリの保管に際しては、電子キーをＵＳＢメモリ保管庫のデジタル鍵孔に装着する。電子キーを装着すると電子キーに対してＵＳＢメモリ保管庫が施錠をするため、電子キーはＵＳＢメモリ保管庫から抜けなくなる。その後に、ＵＳＢメモリ保管庫の扉を閉めることにより、ＵＳＢメモリを保管する。
ＵＳＢメモリを保管庫に、ＵＳＢメモリコネクタ装着部がある場合には、電子キーとＵＳＢメモリコネクタとを、装着する場合がある。
ＵＳＢメモリ保管庫から電子キーを取出すには、まずＵＳＢメモリ保管庫にある、指紋認証手段及びＩＣカードなどにより、使用者を特定したうえで、次に、ＵＳＢメモリ保管庫にあるテンキーを押し暗証番号を押すことで、扉が開き、暗証番号に該当するキーのロックが外れ、キーをＵＳＢメモリ保管庫の装着部から抜き出すことができる。
ＵＳＢメモリ保管庫は、電子キーを抜いたときの日時及び装着したときの日時を記憶する。
【０００８】
キー付きＵＳＢメモリは、ＵＳＢメモリとキーとが一体に形成されている。一体に形成されている形態として、キーとＵＳＢメモリコネクタが反対を向いている形態、キーとＵＳＢメモリコネクタとが９０度の位置関係にある形態、キーとＵＳＢメモリコネクタが上下に一体に形成され同一方向を向いている形態、キーに対して、キーをＵＳＢメモリの前後にスライド可能に保持するＵＳＢメモリスライド手段を有する形態、キーに対して、ＵＳＢメモリを回転可能に保持し、キーと上下に保持される形態とキーと前後に保持される形態にすることができるＵＳＢメモリ回転手段を有する形態、である。
前記形態のキー付きＵＳＢメモリのいずれか一つにおいて、キーが電子キーである。
ＵＳＢメモリとＩＣチップとが電気的に接続されており、ＩＣチップがＵＳＢメモリの使用履歴を記憶している。
【０００９】
上記構成を有するＵＳＢメモリ保管庫の効果を説明する。
（１）は、ＩＣチップを備える電子キーと使用物が一体に形成された複合キーが装着される鍵孔を有する使用物保管庫であるので、本来、キーと使用物が別物であることにより、それぞれのスペースが必要なところ、キーと使用物が一体となっているためコンパクトであり、それだけスペースの狭いところに多くの複合キーを収納できる。
また、一体に形成された複合キーは破壊されなければ、使用物のみを持ち出すことはできないため、電子キーの保管の管理により、一体に形成された使用物についても管理することができる。
また、ＩＣチップからデータを読取る読取手段を有するため、各々が固有の識別番号を有しているＩＣチップのデータを読み出すことで本物を識別できるので、偽物のキーを保管されることにより、キーに形成された使用物を他の場所に持ち出されることを防止することができる。
（２）は、ＩＣチップを備える電子キーとＵＳＢメモリが一体に形成された複合キーが装着される鍵孔を有するＵＳＢメモリ保管庫であるため、本来、キーとＵＳＢメモリのスペースが必要なところ一体となっているため、それだけスペースの狭いところに多くの複合キーを収納できる。
また、一体に形成された複合キーは破壊されなければ、ＵＳＢメモリのみを持ち出すことはできないため、電子キーの保管の管理により、一体に形成されたＵＳＢメモリについても管理することができる。
また、ＩＣチップからデータを読取る読取手段を有するため、各々が固有の識別番号を有しているＩＣチップのデータを読み出すことで本物を識別できるので、偽物のキーを保管されることにより、キーに形成されたＵＳＢメモリを他の場所に持ち出されることを防止することができる。
（３）は、鍵孔に電子キーが装着されるときに、ＵＳＢメモリが装着され、ＵＳＢメモリの使用履歴を読取るＵＳＢメモリ履歴読取手段を有すること、を特徴とするＵＳＢメモリ保管庫であるため、ＵＳＢがどのパソコンで使われたか、何時から何時までパソコンで使われたか、また、どのファイルを使ったかを把握することができる。
また、ＵＳＢメモリが実際に返却されたかどうか、また偽のＵＳＢメモリが返却されていないかどうかの確認をすることができる。重要な情報の管理を厳重に行うことができる。
（４）は、ＵＳＢメモリとＩＣチップとが電気的に接続されており、接触式ＩＣチップがＵＳＢメモリの使用履歴を記憶していることを特徴とする保管庫であるため、ＵＳＢメモリが使用された使用履歴が電子キーのＩＣチップに記憶され、ＩＣチップよりＵＳＢメモリの使用履歴を読取ることができるため、ＵＳＢがどのパソコンで使われたか、何時から何時までパソコンで使われたか、また、どのファイルを使ったかを把握することができる。
また、ＵＳＢメモリが実際に返却されたかどうか、また偽のＵＳＢメモリが返却されていないかどうかの確認をすることができる。重要な情報の管理を厳重に行うことができる。
さらに、万が一に破壊された場合にも、電気的に繋がっているため、ＵＳＢメモリ保管庫は、キー付きＵＳＢメモリが破壊されＵＳＢメモリが持ち出されたことを認識することができる。そのため、責任を明確にすることができる。
（５）は、複合キーが、電子キーに対して、ＵＳＢメモリをスライド可能に保持するＵＳＢメモリスライド手段を有することを特徴とするＵＳＢメモリ保管庫であるため、（３）と同様の効果を奏する。
（６）は、複合キーが、電子キーに対して、ＵＳＢメモリを回転可能に保持するＵＳＢメモリ回転手段を有することを特徴とするＵＳＢメモリ保管庫であるため、（３）と同様の効果を奏する。
【００１０】
（７）は、ＵＳＢメモリ保管庫の鍵孔に装着ロックされて管理されるキーと、を有し、ＵＳＢメモリとキーとが一体に形成されていること、を特徴とするキー付きＵＳＢメモリであるため、キーとＵＳＢメモリの管理が簡単である。
また、一体形成されているため、破壊しなければキーとＵＳＢメモリとを分離できないため、ＵＳＢメモリとキーを切り離しＵＳＢメモリのみ持ち出すことはできない。
また、電子キーとＵＳＢメモリとが一体形成されているので、ワイヤーで結ばれている場合に比べて、電子キーとＵＳＢメモリとが付け根の部分で連結されているため、小型になっている。そのため、収納する際には保管庫のスペースを小さくすることができ、保管庫を小型化することができる。
さらに、電子キーとＵＳＢメモリとは直角の位置に配置し折り曲げることができるため、電子キーとＵＳＢメモリとが一直線になっている場合と比較してＵＳＢメモリ保管庫のスペースを取らないで済む。
（８）は、キーとＵＳＢメモリコネクタが同一方向を向いていることを特徴とするキー付きＵＳＢメモリであり、キーとＵＳＢメモリとが一体に形成されているため、キーとＵＳＢメモリの管理が簡単である。
また、一体形成されているため、破壊しなければキーとＵＳＢメモリとを分離できないため、ＵＳＢメモリとキーを切り離しＵＳＢメモリのみ持ち出すことはできない。
また、電子キーとＵＳＢメモリとが一体形成されているので、ワイヤーで結ばれている場合に比べて、電子キーとＵＳＢメモリとが付け根の部分で連結されているため、小型になっている。そのため、収納する際には保管庫のスペースを小さくすることができ、保管庫を小型化することができる。
さらに、ＵＳＢメモリコネクタを、ＵＳＢメモリ保管庫に装着することができるため、ＵＳＢがどのパソコンで使われたか、何時から何時までパソコンで使われたか、また、どのファイルを使ったか、というＵＳＢメモリ内にあるＵＳＢメモリの使用履歴を把握することができる。
また、ＵＳＢメモリが実際に返却されたかどうか、また偽のＵＳＢメモリが返却されていないかどうかの確認をすることができる。重要な情報の管理を厳重に行うことができる。
（９）は、キーに対して、ＵＳＢメモリをスライド可能に保持するＵＳＢメモリスライド手段を有することを特徴とするキー付きＵＳＢメモリであるため、（８）の効果と同様の効果を奏する。
（１０）は、ＵＳＢメモリを回転可能に保持するＵＳＢメモリ回転手段を有することを特徴とするキー付きＵＳＢメモリであるため、（８）の効果と同様の効果を奏する。
（１１）は、（８）乃至（１０）に記載するキー付きＵＳＢメモリのいずれか一つにおいて、キーが電子キーであることを特徴とするキー付きＵＳＢメモリであるため、（８）乃至（１０）の効果を奏する他、各々の電子キーが固有の識別番号を有しているＩＣチップのデータ有しているため本物の電子キーを識別できるので、偽物の電子キーを保管されることにより、電子キーに一体形成されたＵＳＢメモリを他の場所に持ち出されることを防止することができる。
（１２）は、ＵＳＢメモリとＩＣチップとが電気的に接続されており、ＩＣチップがＵＳＢメモリの使用履歴を記憶していることを特徴とするキー付きＵＳＢメモリであるため、ＵＳＢメモリが使用された使用履歴が電子キーのＩＣチップに記憶され、ＩＣチップよりＵＳＢメモリの使用履歴をＵＳＢメモリ保管庫が読取ることができるため、ＵＳＢがどのパソコンで使われたか、何時から何時までパソコンで使われたか、また、どのファイルを使ったかを把握させることができる。
また、ＵＳＢメモリが実際に返却されたかどうか、また偽のＵＳＢメモリが返却されていないかどうかの確認をさせることができる。重要な情報の管理を厳重に行うことができる。
さらに、万が一に破壊された場合にも、電気的に繋がっているため、ＵＳＢメモリ保管庫に対して、キー付きＵＳＢメモリが破壊されＵＳＢメモリが持ち出されたことを認識させることができる。そのため、責任を明確にすることができる。
（１３）は、（１）に記載する使用物保管庫おいて、使用物が鍵であることを特徴とするため、（１）の使用物が鍵である場合の効果と同様の効果を奏する。
【００１１】
（１４）（７）に記載するキー付きＵＳＢメモリにおいて、外部ＵＳＢ接続端子と、空洞を備える本体と、空洞内に装着されＵＳＢメモリと、を有し、本体の外部に設けられた第１ＵＳＢ接続端子と、ＵＳＢメモリの接続端子とを接続する第１配線と、ＩＣチップと第１ＵＳＢ接続端子の電源端子とを接続する第２配線と、を有するため、ＵＳＢがどのパソコンで使われたか、何時から何時までパソコンで使われたか、また、どのファイルを使ったかを把握することができる。
また、蓋が電子キーカバーの右端部にレーザー溶着されているため、ＵＳＢメモリは、電子キーカバーと一体になり、破壊しなければ取出すことができなくなる。
また、ＵＳＢメモリは、電子キーカバーと一体に形成されているため、電子キーカバーが返却されれば、ＵＳＢメモリも返却されたということが分かる。そのため、ＵＳＢメモリのみを切り取りＵＳＢメモリを持ち出すことを禁止できるため、重要な情報の管理を厳重に行うことができる。
また、万が一に破壊された場合にも、電気的に繋がっているため、ＵＳＢメモリ保管庫は、キー付きＵＳＢメモリが破壊されＵＳＢメモリが持ち出されたことを認識することができる。そのため、責任を明確にすることができる。
また、既存のＵＳＢメモリをそのまま用いて電子キーカバーと一体にできるため、ＵＳＢメモリの情報を移し変える面倒がない。また、ＵＳＢメモリをそのまま使用できるため、ＵＳＢメモリについての費用を削減することができる。
（１５）（１４）に記載するキー付きＵＳＢメモリを保管するためのＵＳＢメモリ保管庫において、第２配線と接続する保管庫側接続端子と、本体をロックするロック手段とを有するため、ＩＣチップの情報をＵＳＢメモリ保管庫が読み取るため、ＵＳＢがどのパソコンで使われたか、何時から何時までパソコンで使われたか、また、どのファイルを使ったかを把握することができる。
また、本来、キーとＵＳＢメモリのスペースが必要なところ一体となっているため、それだけスペースの狭いところに多くの複合キーを収納できる。
また、一体に形成された複合キーは破壊されなければ、ＵＳＢメモリのみを持ち出すことはできないため、電子キーの保管の管理により、一体に形成されたＵＳＢメモリについても管理することができる。
また、ＩＣチップからデータを読取る読取手段を有するため、各々が固有の識別番号を有しているＩＣチップのデータを読み出すことで本物を識別できるので、偽物のキーを保管されることにより、キーに形成されたＵＳＢメモリを他の場所に持ち出されることを防止することができる。
【発明を実施するための最良の形態】
【００１２】
（第１実施形態）
次に、本発明に係るＵＳＢメモリを保管するＵＳＢメモリ保管庫、及びキー付きＵＳＢメモリを具体化した第１実施形態につき図面を参照して詳細に説明する。
図１は、ＵＳＢメモリ保管庫１の扉８が開いた状態の正面図を表す。
図２は、ＵＳＢメモリ保管庫１の扉８が閉じた状態の正面図を表す。
図３（ａ）は、キー付きＵＳＢメモリ１１の正面図を表し、図３（ｂ）は、側面図を表す。電子キー２０とＵＳＢメモリ２１とが一体に形成され、電子キー２０部分がＵＳＢメモリ２１に対して９０度の位置から、１８０度の位置まで移動することのできる、キー付きＵＳＢメモリ１１を表す。
【００１３】
図１に基づいて、ＵＳＢメモリ保管庫１について説明する。
図１に示すように、ＵＳＢメモリ保管庫１の右下部にはＩＤ読取部４が配置されている。右上部には液晶表示部２が配置され、液晶表示部２とＩＤ読取部４の間には、テンキー３が配置されている。
ＵＳＢメモリ保管庫１の左に位置するキー孔ユニット９Ａ〜９Ｊには、上部からネームプレート５、ＬＥＤ６、鍵孔７が配置されている。図１では、扉８は開いた状態にあるため、扉８は、ＵＳＢメモリ保管庫１の左端部に配置されている。
図２では、図１の状態から、扉８が閉じられた状態を示す。扉８が閉じられることにより、キー孔ユニット９Ａ〜９Ｊは全て扉８により、覆われる。
次に、鍵管理ボックスのコントローラについて説明する。図７に制御の構成をブロック図で示す。コントローラ４４は、ＣＰＵ４５、ＲＯＭ４６、履歴記憶部４９を備えている。ＲＯＭ４６は、制御プログラム５３、電子キーＩＤ記憶部４７、ＵＳＢメモリ記憶部４８を備えている。
コントローラ４４には、各キー孔ユニット９に対応して付設され、電子キー２０をロックして抜けないようにするロック手段４１Ａ〜４１Ｊ、キー付きＵＳＢメモリ１１の電子キー２０のキー装着部１７がＵＳＢメモリ保管庫１の鍵孔７に装着されたときに、電子キー２０に内蔵されたＩＣチップ１４に記憶されているデータを読み取るためのＩＣデータ読取手段４２Ａ〜４２Ｊ、ＬＥＤ４３Ａ〜４３Ｊが接続されている。また、コントローラ４４には、液晶表示部２、テンキー３、ＩＣカード読取部４が接続されている。
【００１４】
次に、図３に基づいて、キー付きＵＳＢメモリ１１について説明する。
図３において、（ａ）は、キー付きＵＳＢメモリ１１の正面図を示し、（ｂ）は、キー付きＵＳＢメモリ１１の側面図を示す。
キー付きＵＳＢメモリ１１は、電子キー２０とＵＳＢメモリ２１から構成される。
電子キー２０は、キー装着部１７とキー把持部１８から構成されている。キー把持部１８のキー装着部１７の反対側には、軸心１９を通すための、軸心孔１９ａが形成されている。キー把持部１８の内部には、ＩＣチップ１４が内蔵されている。一対の接触式ＩＣチップ１３が、キー装着部１７の両側に露出している。
ＵＳＢメモリ２１は、ＵＳＢメモリコネクタ１５とＵＳＢメモリ把持部１２とからなる。ＵＳＢメモリ把持部１２の上方は、略コの字型に形成され、その空間部にキー把持部１８が嵌合されている。軸心１９を溶着により加工しているので、電子キー２０とＵＳＢメモリ２１は、破壊しなければ分離できないように構成されている。例えば、ＵＳＢメモリに不具合が発生した場合でも、使用者が、ＵＳＢメモリ２１を取外すことをできなくしている。その場合には、メーカーに送付することによりメーカーでの交換可能である。又は、別なキー付きＵＳＢメモリ１１にデータを移して使用してもらうことになる。したがって、ＵＳＢメモリ２１と電子キー２０とは常に一体であり、電子キー２０を管理することにより、確実にＵＳＢメモリ２１を管理できる。すなわち、従来のようにＵＳＢメモリ２１と電子キー２０とをワイヤー等で連結している場合には、ワイヤーが切断されれば、電子キーのみを保管した場合には、ＵＳＢメモリが保管されたか確認することができなかったが、本キー付きＵＳＢメモリ１１は、破壊されない限り、ＵＳＢメモリ２１と電子キー２０とを分離できないため、分離して電子キー２０のみを保管庫に返却することはできない。
キー把持部１８はＵＳＢメモリ把持部１２に対して軸心１９により回転可能に保持されている。そのため、電子キー２０は、軸心１９を中心に１８０度回転する。したがって、キー付きＵＳＢメモリ１１を持ち運ぶときには、キー部１８をＵＳＢメモリ部１２に対して一直線の位置にある状態で運ぶ。一直線の位置にすればポケット等に入れたときに、邪魔とならないからである。また、電子キー２０とＵＳＢメモリ２１とが一体形成されているため、ワイヤーで結ばれている場合に比べて、電子キー２０とＵＳＢメモリ２１とが付け根の部分で連結されているため、小型になっている。そのため、収納する際には保管庫のスペースを小さくすることができ、保管庫を小型化することができる。さらに、電子キー２０とＵＳＢメモリ２１とは直角の位置に配置し折り曲げることができるため、電子キー２０とＵＳＢメモリ２１とが一直線になっている場合と比較してＵＳＢメモリ保管庫の奥行を取らないで済む。
【００１５】
次に、図４に基づいて、電子キー２０とＵＳＢメモリ２１との電気的な接続について説明する。
ＵＳＢメモリ２１をオフィス内の指定されたパソコンにおいて使用すると、ＵＳＢメモリ２１を使用し始めた使用開始時間、使用終了時間、ＰＣの識別番号、及びどのファイルを使用したか等が、ＵＳＢメモリ２１のメモリ領域内６３にあるＵＳＢメモリ使用履歴領域６２に記憶される。そして、ＵＳＢメモリ使用履歴領域６２に蓄積されたデータは、電子キー２０を鍵孔７に差し込んだときに、インターフェース６４を介して、電子キー２０のＵＳＢメモリ記憶手段６８に転送される。ＵＳＢメモリ記憶手段６８に転送されたデータは、第１端子１３ａ及び第２端子１３ｂを介してＵＳＢメモリ保管庫１内にあるＵＳＢメモリ記憶部４８が読取る。ここでは、ＵＳＢメモリ使用履歴の転送を、電子キー２０を鍵孔７に差し込んだときに行っているが、ＵＳＢメモリコネクタ１５をパソコンに差し込んでいるときに、１分おきに使用履歴のデータを電子キー２０に転送するようにしてもよい。
ＵＳＢメモリ２１から電子キー２０へデータを転送するにはインターフェース６４が必要とされる。インターフェース６４は、電子キー２０とＵＳＢメモリ２１とを電気的に有線により接続するためのものである。インターフェース６４が必要とされるのは、ＵＳＢメモリ２１は４端子であるのに対して、電子キー２０は２端子であるため、電気信号を変えなければ転送することができないからであり、インターフェース６４が、電気信号の変更を行うからである。
インターフェース６４は、ＵＳＢメモリコネクタ１５と連結する形で設置する。インターフェース６４はＵＳＢメモリ２１に対して溶着等により一体化されており、インターフェース６４を用いれば、既存のＵＳＢメモリ２１をそのままの状態で使用することが可能である。また、インターフェース６４は、有線６９ａが電子キー２０の第１端子６５ａと、有線６９ｂが電子キー２０の第２端子６５ｂと接続することにより、電子キー２０と電気的に接続している。
【００１６】
次に、実施形態のＵＳＢメモリ保管庫１の使用形態について説明する。
図１に示すＵＳＢメモリ保管庫１では、１０個分のキー付きＵＳＢメモリ１１を管理できる。キー付きＵＳＢメモリ１１の電子キーＩＤ記憶手段に記憶された固有の識別番号（電子キーＩＤ）は、本実施形態では、接触式ＩＣチップの固有の識別番号を利用している。市販されている接触式ＩＣチップは、各々が固有の識別番号を有しており、同じものはなく、また書き換えも困難なので便利である。
電子キーＩＤ記憶手段は、電子キーＩＤに対応した特定のキー付きＵＳＢメモリを記憶している。
【００１７】
図６に、制御プログラム５３の内容をフローチャートで示す。
使用者は、ＵＳＢメモリ保管庫１の所に行き、所持しているＩＣカードをＩＣカード読取部４に読み取らせる（Ｓ１１；ＹＥＳ）。そして、テンキー３により、暗証番号を入力する(Ｓ１１)。ＵＳＢメモリ保管庫１内にあるコントローラ４４の電子キーＩＤ記憶部４７は、ＩＣカード読取部４が読み取ったＩＣカードと対応する暗号番号を記憶しており、入力された暗証番号を照合する（Ｓ１３）。そして、正しい暗証番号が入力されたときのみ(Ｓ１３；ＹＥＳ)、扉８を開放する。本実施形態では、テンキー３を用いているが、静脈認証装置、指紋認証装置等により個人認証を行っても良い。個人認証を行うのは、他人のＩＣカードを使用して不正行為が行われるのを防止するためである。
【００１８】
コントローラ４４は、扉８を開放すると同時に、電子キー２０が装着されているキー孔ユニット９のロック手段４１を解除する（Ｓ１４）。ロック手段４１は、キー装着部の凹部１７ａを利用して、図示しない係合爪をソレノイドで駆動させて係合・解除を行っている。また、解除したキー孔ユニット９のＬＥＤ４３を点灯する（Ｓ１４）。使用者は、これにより、電子キー２０を抜き取ることができる。コントローラ４４は、ＩＣチップデータ読取手段４２がキー付き電子キー２０を検出しなくなったときに、電子キー２０が鍵孔７から抜き取られたと判断して（Ｓ１５；ＹＥＳ）、認証した個人、取り出された電子キー２０、取り出された時間を履歴記憶部４９に記憶する（Ｓ１６）。
本ＵＳＢメモリ保管庫１では、電子キー２０を直接、鍵孔７に装着させているので、キー孔ユニット９に付設されたＩＣチップデータ読取手段４２により、装着された電子キー２０のＩＣチップデータを読み取るため、電子キー２０が正規の電子キー２０であるか否かを確実に管理することができる。
【００１９】
ＵＳＢメモリ２１を使用した場合、ＵＳＢメモリ使用記憶手段には、パソコン側のコントローラ４４により、パソコンの識別番号、使用を開始した日時、及び使用を終了した日時が書き込まれる。複数回ＵＢメモリ２１の使用を行った場合には、全ての使用履歴データが、ＵＳＢメモリ２１のＵＳＢメモリ使用記憶手段に記憶される。
キー付きＵＳＢメモリ１１をＵＳＢメモリ保管庫１に返却したときに、ＩＣチップデータ読取手段４２は、キー付きＵＳＢメモリ１１の電子キーＩＤを読取、個人認証した特定の個人に対応する正しいキー付きＵＳＢメモリ１１が返却されたことを確認し（Ｓ１７；ＹＥＳ）、返却時間を履歴記憶部４９に記憶する（Ｓ１８）。次に、コントローラ４４のＩＣチップ読取手段４２により、読み取られた使用履歴を、キー付きＵＳＢメモリ１１の使用履歴として履歴記憶部４９に記憶される（Ｓ１９）。
これにより、履歴記憶部４９は、各キー付きＵＳＢメモリ１１に対して、ＵＳＢメモリ保管庫１から取り出された日時、返却された日時を全て記憶する。
【００２０】
次に、ＵＳＢメモリ２１のＵＳＢメモリ記憶手段からＵＳＢメモリの使用履歴データを読取、データがＵＳＢメモリ記憶部４８に記憶される（Ｓ２０）。これにより、ＵＳＢメモリ記憶部４８は、各キー付きＵＳＢメモリ１１に対して、ＵＳＢメモリの使用開始時間、使用終了時間、ＰＣの識別番号、及びどのファイルを使用したか等の使用履歴を記憶する。  
後で、ＵＳＢ内の情報の漏洩等のトラブルが発生したときに、使用履歴をチェックすることにより、責任の所在を追及することができる。また、全ての履歴を管理していることを使用者に知らせることにより、使用者がＵＳＢメモリ保管庫１からキー付きＵＳＢメモリ１１を取り出した後、すばやくパソコンの利用を行うことが期待できるため、キー付きＵＳＢメモリ１１が机の上に長時間置きっぱ  なしになるような事態を回避することができる。また、ＵＳＢの使用履歴をチェックすることにより、使用者がＵＳＢメモリを不正に持ち出すことの抑止力が生じる。
その後、扉８を閉じることを液晶表示部２に表示して指示する（Ｓ２１）。扉８が閉じられたことを確認して（Ｓ２２；ＹＥＳ）、Ｓ１１へ戻る。
【００２１】
次に、キー付きＵＳＢメモリ１１の取扱いについて説明する。
キー付きＵＳＢメモリ１１の電子キー２０は軸心１９を中心に１８０度回転する。そのため、キー付きＵＳＢメモリ１１を、ＵＳＢメモリ保管庫１に保管する際には、電子キー２０をＵＳＢメモリ２１に対して直角の位置にある状態で、キー装着部１７をＵＳＢメモリ保管庫１の鍵孔７に装着する。
キー付きＵＳＢメモリ１１を、ＵＳＢメモリ保管庫１より取外し、持ち歩くときは、電子キー２０をＵＳＢメモリ２１に対して一直線の位置にある状態で持ち歩く。ポケット等に入れたときに、邪魔とならないからである。
キー付きＵＳＢメモリ１１を、パソコンに使用したいときは、電子キー２０をＵＳＢメモリ２１に対して直角の位置にある状態で、ＵＳＢメモリ２１をパソコンに装着し使用する。
【００２２】
以上詳細に説明したように、本実施形態のＵＳＢメモリ保管庫、及びキー付きＵＳＢメモリによれば、ＵＳＢメモリ保管庫１において、ＩＣチップ１４を備える電子キーとＵＳＢが一体に形成された複合キーが装着されるキー装着部１７と、ＩＣチップ１４からデータを読取る読取手段と、を有するので、保管庫が、保管するための電子キー２０であることを認識することができ、本物の電子キー２０でなければ保管したことにならないため、キー付きＵＳＢメモリ１１の使用者の責任を明確にすることができる。また、電子キー２０とＵＳＢメモリ２１とは電気的に繋がっているため、万が一に破壊された場合にも、ＵＳＢメモリ保管庫１は、キー付きＵＳＢメモリ１１が破壊されＵＳＢメモリ２１が持ち出されたことを認識することができる。そのため、責任を明確にすることができる。
従来では、オフィスにあるＵＳＢメモリを仕事などで外部に持ち出すことはよくあった。しかし、近年、オフィス内以外のパソコンには、ファイル共有ソフトであるＷｉｎｎｙなどが入っていることがあり、オフィス外に持ち出したＵＳＢメモリの中から重要な情報が流出することがあった。そこで、本ＵＳＢメモリ保管庫、及びキー付きＵＳＢメモリを用いることにより、オフィス内からＵＳＢメモリを持ち出すことを禁止でき、また、ＵＳＢメモリの情報がどこから漏れたかが分かるため責任を明確にすることができるのである。
また、ＩＣカードとテンキー３で暗証番号によらなければキー付きＵＳＢメモリ１１を取り出すことができないため、二重にロックがされた状態であるため、厳重に管理することができる。
また、本実施形態のＵＳＢメモリ保管庫１は、ＩＣチップが、ＵＳＢメモリを使用した使用履歴を記憶すること、ＩＣチップデータ読取手段４２がその使用履歴を読み取ることを行うので（Ｓ１９）、使用者がキー付きＵＳＢメモリ１１をＵＳＢメモリ保管庫１に返却したときに、ＵＳＢメモリ保管庫１は、そのＵＳＢメモリ２１の使用履歴を把握できるため、使用者が何時にキー付きＵＳＢメモリ１１を持ち出し、ＵＳＢメモリ２１の使用開始時間、使用終了時間、ＰＣの識別番号、及びどのファイルを使用したか等の使用履歴を把握できるのでＵＳＢメモリ２１内の情報の管理を十分に行うことができる。
また、個人で管理しているＵＳＢメモリに関しても、ＵＳＢメモリ保管庫で管理できるため、個人がオフィスからＵＳＢメモリを持ち出すことを禁止することができる。
【００２３】
また、ＵＳＢメモリ保管庫１の鍵孔７に装着ロックされて管理される電子キー２０と、を有し、ＵＳＢメモリ２１と電子キー２０とが一体に形成されていること、を特徴とするキー付きＵＳＢメモリ１１であるため、キーとＵＳＢメモリの管理が簡単である。
また、電子キーは接触式ＩＣチップを使用しているため、各々が固有の識別番号を有しており、同じものはなく、また書き換えも困難なので、偽物の電子キーを保管して、本物を持ち出すことができないため、キー付きＵＳＢメモリを厳重に保管することができる。ＵＳＢメモリにより本物か否かの管理を行うと、スキミングにより管理領域をコピーされて偽者を作られる恐れがあるからである。
また、電子キー２０とＵＳＢメモリ２１とは破壊しなければ分離することができないため、電子キー２０のみを保管することにより、その後にＵＳＢメモリ２１を使用することはできない。例えば、ＵＳＢメモリ２１の使用履歴は電子キー２０が鍵孔７に入ったときに移動するため、鍵の装着後に、キー付きＵＳＢメモリ１１が破壊され、ＵＳＢメモリ２１が持ち出されたときには、ＵＳＢメモリ保管庫１は、ＵＳＢメモリ２１が持ち出されたことを判断できないため、扉８を閉めた後にＵＳＢメモリ２１の使用履歴が移動するようにすれば、キー付きＵＳＢメモリ１１を破壊してＵＳＢメモリ２１のみを持ち出すことはできない。そのため、ＵＳＢメモリを厳重に保管することができる。
また、電子キー２０とＵＳＢメモリ２１とが一体形成されているため、ワイヤーで結ばれている場合に比べて、電子キー２０とＵＳＢメモリ２１とが付け根の部分で連結されているため、小型になっている。そのため、収納する際には保管庫のスペースを小さくすることができ、保管庫を小型化することができる。さらに、電子キー２０とＵＳＢメモリ２１とは直角の位置に配置し折り曲げることができるため、電子キー２０とＵＳＢメモリ２１とが一直線になっている場合と比較してＵＳＢメモリ保管庫のスペースを取らないで済む。
【００２４】
（第２実施形態）
次に、ＵＳＢメモリを保管するＵＳＢメモリ保管庫、及びキー付きＵＳＢメモリを具体化した第２実施形態につき図面を参照して詳細に説明する。
第２実施形態における図８に示すＵＳＢメモリ保管庫３０は、ＵＳＢメモリコネクタ装着部３１があることを除いて、第１実施形態で述べたＵＳＢメモリ保管庫１と、同じである。したがって、同一の構成については、同一の符号を付して省略し、異なった点を中心に説明する。
【００２５】
すなわち、第２実施形態におけるＵＳＢメモリ保管庫３０では、図８に示すように、鍵孔７がキー孔ユニット９の下部に横向きに配置されており、鍵孔７の下部には鍵孔７と平行にＵＳＢメモリコネクタ装着部３１がある。図９のキー付きＵＳＢメモリ４０に対応するＵＳＢメモリ保管庫３０の場合に限って、キー孔ユニット９の３２部分が図９に示すキー装着部１７の長さｈだけ段差になっており奥まっている。図８に示す上下一体型のキー付きＵＳＢメモリ４０のキー装着部１７とＵＳＢメモリコネクタ１５をキー孔ユニット９に装着させるためである。その他に、キー孔ユニット９の３２以外の部分が図９に示すキー装着部１７の長さｈだけ段差になっており奥まっている形態も考えられる。
【００２６】
そこで、ＵＳＢメモリ保管庫３０に適合するキー付きＵＳＢメモリの説明をする。ＵＳＢメモリ保管庫１０に適合するキー付きＵＳＢメモリには以下の３つがある。
図９には、上下一体型のキー付きＵＳＢメモリ４０の正面図及び側面図を示す。
図１０には、スライド式のキー付きＵＳＢメモリ５０の正面図及び側面図を示す。
図１１には、回転式のキー付きＵＳＢメモリ６０の正面図及び側面図を示す。
【００２７】
図９の上下方のキー付きＵＳＢメモリ４０は、キー装着部１７とＵＳＢメモリコネクタ１５が上下に一体に形成され同一の右方向を向いている構成を採る。また、ＵＳＢメモリコネクタ１５の分だけ、電子キー２０が後ろに来た構成を採る。ＵＳＢメモリコネクタ１５をパソコンにつなげるためである。キー把持部１８とＵＳＢメモリ把持部１２とが接合されている。
図１０のスライド式のキー付きＵＳＢメモリ５０は、キー把持部１８とＵＳＢメモリ把持部１２が、キー把持部１８に付けられた凸部５１、及びＵＳＢメモリ把持部１２に設けられた凹部５２に接合していることにより構成されている。
ＵＳＢメモリコネクタ１５とキー装着部１７を、ＵＳＢメモリ保管庫３０のＵＳＢメモリコネクタ装着部３１と鍵孔７に装着する場合には以下の構成をとる。ＵＳＢメモリ２１をパソコンに使用している場合は、図１０に示すように図９のＵＳＢメモリ４０とほぼ同様の構成を採る。始めに、図１０のスライド前の状態で、ＵＳＢメモリコネクタ１５を、ＵＳＢメモリ保管庫３０のＵＳＢメモリコネクタ装着部３１に装着する。次に、電子キー２０を、凸部５１を支点に凹部５２に沿って右側にスライドさせ鍵孔７に装着する。当該構成を採ることにより、ＵＳＢメモリコネクタ１５はキー装着部１７と比べて頑丈ではないため、ＵＳＢメモリコネクタ１５を装着した後に、キー装着部１７を装着することで、ＵＳＢメモリコネクタ１５を傷めることなく、両方を装着できるため有効である。
図１１の回転式のキー付きＵＳＢメモリ６０は、キー把持部１８とＵＳＢメモリ把持部１２が、軸心３１により合体している。回転前は、電子キー２０とＵＳＢメモリ２１とが上下に重なった状態でＵＳＢメモリコネクタ１５の付け根とキー装着部１の付け根が同じ位置にある構成を採る。回転は、軸心３１を中心にＵＳＢメモリ２１が回転する。回転後は、キー装着部１７とＵＳＢメモリコネクタ１５とが反対を向くことになる。
【００２８】
第２実施形態の場合は、キー付きＵＳＢメモリを保管する際には、第１実施形態と異なり、鍵孔７にキー装着部１７を装着するほか、ＵＳＢメモリコネクタ１５をＵＳＢメモリコネクタ装着部３１に装着する。
ＵＳＢメモリ保管庫３０には、図１２で示すように、ＵＳＢメモリ読取手段５４等がある。ＵＳＢメモリコネクタ１５がＵＳＢメモリコネクタ装着部３１に装着されると、ＵＳＢメモリ読取手段５４がＵＳＢメモリ２１のＵＳＢメモリ使用履歴領域６２より使用履歴を読取る。ＵＳＢメモリ２１の内部構造は図４に示すＵＳＢメモリ２１と同様である。ＵＳＢメモリの使用履歴を読取ることにより、後に、ＵＳＢ内の情報の漏洩等のトラブルが発生したときに、ＵＳＢの使用履歴をチェックすることにより、責任の所在を追及することができる。また、ＵＳＢの使用履歴をチェックすることにより、使用者がＵＳＢメモリを不正に持ち出すことの抑止力が生じるからである。
また、第１実施形態と比較して、電気的に電子キー２０とＵＳＢメモリ２１とを接続する必要がないため、コストを抑えることができる。また、電気的に接続する必要がないため、配線が不要となりスペースを確保することができるため、キー付きＵＳＢメモリの形態をスマートにすることができ、また小型化を図ることができる。
また、電子キー２０を鍵孔７に装着し、ＵＳＢメモリコネクタ１５をＵＳＢメモリコネクタ装着部３１に装着することで、電子キー２０とＵＳＢメモリ２１とが返却されたことを確認することができる。
また、電子キー２０とＵＳＢメモリ２１とを上下に差し込むことができるため、第１実施形態の場合はＵＳＢメモリ２１が下部にある他のキー孔ユニット邪魔するため、ＵＳＢメモリ把持部１２の分だけスペースを取らなければならないのと比較して、ＵＳＢメモリ把持部１２の分だけスペースをとらなくてすむため、ＵＳＢメモリ保管庫３０を小型化することができる。
【００２９】
（第３実施形態）
次に、既存のＵＳＢメモリ２１に電子キーカバー８０を取付ける、第３実施形態につき図面５を参照して詳細に説明する。ここで使用するＵＳＢメモリ保管庫９０については、図示はしないが、電子キーカバー８０をロックすることができるほどの大きさの鍵孔がある。また、ＵＳＢメモリ保管庫９０には、ＵＳＢメモリコネクタ８１を装着する部分がある。
図５における、第３実施形態における電子キーカバー８０は、外観上、ＵＳＢメモリコネクタ装着部８１、本体８６及び蓋８４により構成されている。本体８６には、切欠き部８５ａ、切欠き部８５ｂがある。
電子キーカバー８０の内部の配線は、ＰＣ接続端子８１ａ〜８１ｄが、ＵＳＢ接続端子８２ａ〜８２ｄにそれぞれ配線されている。ＰＣ接続端子８１ａ、８１ｂは電源端子である。また、ＵＳＢ接続端子８２ａ、８２ｂも電源端子である。電子キーカバー８０の内部構造は、図４の電子キー２０の内部構造と同じである。電子キーカバー８０は、通信端子を持たずに２個の電源端子８３ａ、８３ｂのみを持っている。電源端子８３ａ、８３ｂに電源を流すことによりＩＣチップ１４に記憶されているデータを読取ることができる。
ＵＳＢメモリ２１は、電子キーカバー８０の中に挿入され、ＵＳＢメモリ２１のＵＳＢメモリコネクタ１５をＵＳＢメモリ挿入部８２に挿入する。ＵＳＢメモリ２１を電子キーカバー８０に挿入した後に、蓋８４を電子キーカバー８０の右端部にレーザー溶着する。それにより、ＵＳＢメモリ２１は、電子キーカバー８０と一体になり、破壊しなければ取出すことができなくなる。
【００３０】
ＵＳＢメモリ２１が一体となった電子キーカバー８０は、ＵＳＢメモリコネクタ８１をパソコンに挿入することにより、通信端子８２ｃ、８３ｄを使うことで通常のＵＳＢメモリと同様に使用することができる。ＵＳＢメモリ２１が一体となった電子キーカバー８０をＵＳＢメモリとしてパソコンに使用すると、ＰＣ接続端子８１ｃ、８１ｄから通信端子８２ｃ、８２ｄへデータが転送され、ＵＳＢメモリ２１の使用履歴領域へＰＣにおけるＵＳＢメモリ２１の使用開始時間、使用終了時間、ＰＣの識別番号、及びどのファイルを使用したか等の使用履歴が記憶される。その後、ＵＳＢメモリについて使用された使用履歴が、配線された電源端子８３ａ、８３ｂを介して電気的にＩＣチップ１４に使用履歴データが転送され記憶される。ＩＣチップ１４に使用履歴が記憶されているため、ＵＳＢメモリ２１が一体となった電子キーカバー８０を、ＵＳＢメモリ保管庫９０に返却すると、ＵＳＢメモリ保管庫９０が、ＩＣチップ１４の情報をＵＳＢメモリ保管庫９０が読み取るため、ＵＳＢがどのパソコンで使われたか、何時から何時までパソコンで使われたか、また、どのファイルを使ったかを把握することができる。
ＵＳＢメモリコネクタ８１及び電子キーカバー８０を装着することで、図７のＵＳＢメモリ保管庫の制御構成を示すブロック図と同様の構成により、ロック手段４１により切欠き部８５ａ、８５ｂを固定することでロックすることができる。
また、ＵＳＢメモリ２１は、電子キーカバー８０と一体に形成されているため、電子キーカバー８０が返却されれば、ＵＳＢメモリ２１も返却されたということが分かる。そのため、ＵＳＢメモリのみを切り取りＵＳＢメモリを持ち出すことを禁止できるため、重要な情報の管理を厳重に行うことができる。
また、万が一に破壊された場合にも、電気的に繋がっているため、ＵＳＢメモリ保管庫９０は、キー付きＵＳＢメモリが破壊されＵＳＢメモリが持ち出されたことを認識することができる。そのため、責任を明確にすることができる。
また、既存のＵＳＢメモリをそのまま用いて電子キーカバーと一体にできるため、ＵＳＢメモリの情報を移し変える面倒がない。また、ＵＳＢメモリをそのまま使用できるため、ＵＳＢメモリについての費用を削減することができる。
【００３１】
なお、本発明は、上記実施形態に限定されることなく、発明の趣旨を逸脱することのない範囲で構成の一部を適宜変更して以下のように実施することもできる。
（１）第１実施形態のＵＳＢメモリ保管庫１の本体に、ＵＳＢメモリコネクタ装着部を別途の線で取付けることができる。別途の線でＵＳＢメモリコネクタ装着部を有することにより、ＵＳＢメモリコネクタを差し込めば、電子キーを介さずに、ＵＳＢメモリ使用履歴をＵＳＢメモリ保管庫１に直接取り込むことができる。キー付きＵＳＢメモリが電気的に、電子キー２０とＵＳＢメモリ２１とが接合していない場合に有効な手段である。  
（２）ＵＳＢメモリの他、使用物であれば上記電子キーと接合することができる。例えば、図１３に示すような鍵である。キーと一体型となっていることにより、破壊しなければ持ち運びされることがないため、厳重に管理することができる。
【図面の簡単な説明】
【００３２】
【図１】ＵＳＢメモリ保管庫の扉が開いた状態の正面図である。
【図２】ＵＳＢメモリ保管庫の扉が閉じた状態の正面図である。
【図３】電子キーが１８０度移動可能なキー付きＵＳＢメモリの正面図及び側面図である。
【図４】電子キーとＵＳＢメモリの電気的構成を示したブロック図である。
【図５】第３実施形態におけるＵＳＢメモリ２１に電子キーカバー８０を取付けた図である。
【図６】制御プログラム５３の内容を示すフローチャート図である。
【図７】第１実施形態ＵＳＢメモリ保管庫の制御構成を示すブロック図である。
【図８】第２実施形態のＵＳＢメモリ保管庫の扉が開いた状態の正面図である。
【図９】上下一体型のキー付きＵＳＢメモリの正面図及び側面図である。
【図１０】スライド式のキー付きＵＳＢメモリの正面図及び側面図である。
【図１１】回転式のキー付きＵＳＢメモリの正面図及び側面図である。
【図１２】第２実施形態のブロック図である。
【図１３】電子キーが１８０度移動可能なキー付き鍵の正面図及び側面図
【符号の説明】
【００３３】
１      ＵＳＢメモリ保管庫
７      鍵孔
１１    キー付きＵＳＢメモリ
１４    ＩＣチップ
１５    ＵＳＢメモリコネクタ
２０    電子キー
２１    ＵＳＢメモリ
３１    ＵＳＢメモリ装着部
【図１】
2009110227.tif 000003
【図２】
2009110227.tif 000004
【図３】
2009110227.tif 000005
【図４】
2009110227.tif 000006
【図５】
2009110227.tif 000007
【図６】
2009110227.tif 000008
【図７】
2009110227.tif 000009
【図８】
2009110227.tif 000010
【図９】
2009110227.tif 000011
【図１０】
2009110227.tif 000012
【図１１】
2009110227.tif 000013
【図１２】
2009110227.tif 000014
【図１３】
2009110227.tif 000015